(57)【要約】  本発明はスロットミーリングカッタに関し、このスロットミーリングカッタは、カッティングヘッド（１）と、このカッティングヘッドに一体化される連結部（３）とを備え、連結部は工具カップリングを受け入れるようになっており、カッティングヘッド（１）は少なくとも二つのインサート座（５）と、このインサート座（５）に装着される切削インサート（７）と、を有している。また、本発明は別体としての切削インサートに関する。本発明の特徴は、インサート座（５）が第１のセレーション（４）を備え、切削インサート（７）が少なくとも一つの主面上に配置された第２のセレーション（１１）を備え、第１のセレーション及び第２のセレーション（４，１１）がスロットミーリングカッタの軸方向（Ｃ−Ｃ）に延び、切削インサート（７）の安定性が第１のセレーション及び第２のセレーション（４，１１）間の協働によってスロットミーリングカッタの半径方向でもたらされ、インサート座(５，１０５)の少なくとも一つに隣接する手段（１４〜２０）が、スロットミーリングカッタの軸方向（Ｃ−Ｃ）で付属の切削インサート（７，１０７）の位置を調整するために配置されている。
2007522951.tif 000002
【特許請求の範囲】
【請求項１】
カッティングヘッド（１，１０１，２０１）と、該カッティングヘッドに一体化される連結部（３）とを備え、該連結部は工具カップリングを受け入れるようになっており、前記カッティングヘッド（１，１０１，２０１）は少なくとも二つのインサート座（５，１０５，２０５）と、該インサート座（５，１０５，２０５）に装着される切削インサート（７，１０７）と、を有するスロットミーリングカッタにおいて、
前記インサート座（５，１０５，２０５）が第１のセレーション（４，１０４，２０４）を備え、前記切削インサート（７，１０７）が少なくとも一つの主面上に配置された第２のセレーション（１１，１１１）を備え、前記第１のセレーション及び第２のセレーション（４，１１，１０４，１１１，２０４，１１１）が前記スロットミーリングカッタの軸方向（Ｃ−Ｃ）に延び、前記切削インサート（７）の安定性が前記第１のセレーション及び第２のセレーション（４，１１，１０４，１１１，２０４，１１１）間の協働によって前記スロットミーリングカッタの半径方向でもたらされ、前記インサート座(５，１０５)の少なくとも一つに隣接する手段（１４〜２０）が、前記スロットミーリングカッタの前記軸方向（Ｃ−Ｃ）で付属の切削インサート（７，１０７）の位置を調整するために配置されていることを特徴とするスロットミーリングカッタ。
【請求項２】
全てのインサート座（５，１０５，２０５）が、前記スロットミーリングカッタの前記軸方向（Ｃ−Ｃ）で前記付属の切削インサート（７，１０７）の位置を調整するため手段を備えている請求項１に記載のスロットミーリングカッタ。
【請求項３】
前記切削インサート（７，１０７）が、二つの前記主面（８，１０８）で前記第２のセレーション（１１，１１１）を備えている請求項１又は２に記載のスロットミーリングカッタ。
【請求項４】
前記切削インサート（７，１０７）がネガティブな基体形状を有すると共に、ポジティブな切れ刃ジオメトリを有していることを特徴とする請求項１〜３の何れか１項に記載のスロットミーリングカッタ。
【請求項５】
少なくとも一つの鋸歯状切れ刃側面（９，１０９）を有し、スロットミーリングカッタのインサート座に装着され、前記スロットミーリングカッタに着脱可能に含まれるようになっている切削インサート（７，１０７）において、
前記切削インサートの二つの主面（８，１０８）のうち少なくとも一つの前記主面に配置されたセレーション（１１，１１１）を有し、該セレーション（１１，１１１）が前記鋸歯状切れ刃側面（９，１０９）に平行に延びていることを特徴とする切削インサート（７，１０７）。
【請求項６】
前記二つの主面（８，１０８）に前記セレーション（１１，１１１）を有することを特徴とする請求項５に記載の切削インサート（７，１０７）。
【請求項７】
ネガティブの基体形状とポジティブの切れ刃形状を有することを特徴とする請求項５又は６に記載の切削インサート（７，１０７）。
【請求項８】
二つの正反対の前記鋸歯状切れ刃側面（９）を有することを特徴とする請求項５〜７の何れか１項に記載の切削インサート（７）。
【発明の詳細な説明】
【技術分野】
【０００１】
本発明は、カッタヘッドとこのカッタヘッドに一体化される連結部とを備えるスロットミーリングカッタに関する。連結部は、工具カップリングを受承するようになっている。カッティングヘッドは、少なくとも二つのインサート座を有する。インサート座においては、スロットミーリングカッタに含まれており、少なくとも一側に沿ってスロットミーリングカッタの軸方向に延びる歯を有する切削インサートと、切削インサートを個々のインサート座に取り付けるための手段を有する。本発明によるスロットミーリングカッタは、主として、ねじ切りに使用されるものである。しかしながら、スロットミーリングカッタは、スラインや歯車の製造に使用されることもできる。
【背景技術】
【０００２】
欧州特許公開番号１１９８３２１号（EP-A1-1198321）によって、複数の切削インサートを備えるねじ切りミーリングカッタは、従来から知られている。個々の切削インサートは、ねじ切りミーリングカッタの工具ヘッドから半径方向に突出する二つの切れ刃を有している。二つの切れ刃は、切削インサートが対称平面に関して割り出されることができるという事実によって使用されることができる。切削インサートは、インサート座の壁に交差し、切削インサートの固定部分の面に当接するねじで工具ヘッドのインサート座に固定される。
【０００３】
ＰＣＴ特許公開番号０２００３８２号（WO-A1-0200382）によって、好ましくはフェイスミーリングカッタに含まれる切削インサートに関する調整機構が従来から知られている。これに関して、個々の切削インサートは、スリーブの中のねじによって半径方向にせり出す切削インサートの近傍にスリーブが配置されているという事実によってインサート座で動くようになっている。半径方向のせり出しは、軸方向のスリットを備えるスリーブによって容易に行われる。切削インサートの位置を調整する可能性は、ミーリングカッタの振れを減少させることをもたらす。
【０００４】
米国特許公開番号５，８７３，６８４号（US-A-5,873,684）によって、ねじ切りミーリングカッタが、個々のインサート座で支えられる複数のねじ切り切削インサートを有するということは従来から知られている。個々のインサート座は、付属の切削インサートにミーリングカッタの軸方向の支持を与えるための手段を備えている。この手段は、平面であり、包絡面上で縦方向の接触面を有する略円柱状のピンからなっている。
【発明の開示】
【発明が解決しようとする課題】
【０００５】
本発明の第１の目的は、上記種類のスロットミーリングカッタを提供することであり、殊に、インサート座に適用される切削インサートには、良好な固定位置が与えられるべきである。
【０００６】
本発明の他の目的は、スロットミーリングカッタに備えられた切削インサートの少なくともいくつかのの軸方向の調整を可能とすることである。
【０００７】
少なくとも第１の目的は、後述する独立の請求項１で規定されている特徴を有するスロットミーリングカッタによって実現することである。本発明の好ましい実施形態は、従属の請求項で規定されている。
【課題を解決するための手段】
【０００８】
請求項１に記載のスロットミーリングカッタは、カッティングヘッドと、該カッティングヘッドに一体化される連結部とを備え、該連結部は工具カップリングを受け入れるようになっており、前記カッティングヘッドは少なくとも二つのインサート座と、該インサート座に装着される切削インサートと、を有するスロットミーリングカッタにおいて、前記インサート座が第１のセレーションを備え、前記切削インサートが少なくとも一つの主面上に配置された第２のセレーションを備え、前記第１のセレーション及び第２のセレーションが前記スロットミーリングカッタの軸方向に延び、前記切削インサートの安定性が前記第１のセレーション及び第２のセレーション間の協働によって前記スロットミーリングカッタの半径方向でもたらされ、前記インサート座の少なくとも一つに隣接する手段が、前記スロットミーリングカッタの前記軸方向で付属の切削インサートの位置を調整するために配置されていることを特徴とする。
【０００９】
以下において、発明の実施形態が、添付されている図面を参照して説明される。
【発明を実施するための最良の形態】
【００１０】
図１〜４で示されているスロットミーリングカッタは、カッティングヘッド１と、このカッティングヘッドに一体化される連結部とを備えている。連結部は工具カップリングに支持されるようになっている。カッティングヘッドは二つのインサート座５を有している。インサート座において、スロットミーリングカッタに含まれ、略平行六面体の切削インサート７が支持される。図１のＣ−Ｃ線は、スロットミーリングカッタの軸方向と回転軸の両方を規定する。
【００１１】
個々の切削インサート７は、互いに平行である二つの主面８を備えている。個々の切削インサート７は、さらに、互いに平行である二つの鋸歯状切れ刃側面によって規定されている。切削インサート７の他の境界は、示されている実施形態において全体が滑らかである二つの端面６によってもたらされる。
【００１２】
また、スロットミーリングカッタは、インサート座５に対して切削インサート７を固定するための手段を備えている。示されている実施形態における固定手段は、個々の切削インサート７に関して二つのねじ１０からなっている。ねじ１０は、個々の切削インサート７の二つのスルーホール１０Ａに受け入れられる。
【００１３】
図１で示されるように、カッティングヘッド１は、略円柱形状である。インサート座５は、円柱の自由端の領域内で二つの正反対に配置された凹みからなっている。個々のインサート座は、互いに垂直に延びている二つの面によって規定されている。一つの面は、切削インサート７を支持している。図１に最も明瞭に示されているように、一つの面はスロットミーリングカッタの軸方向に延びる第１のセレーションを備えている。切削インサート７は、図５〜７を参照して以下でより十分に説明される第２のセレーションを備えている。インサート座５の第１のセレーション４は、切削インサート７の第２のセレーションと協働するようになっている。それによって、スロットミーリングカッタの半径方向で、すなわち、スロットミーリングカッタの軸方向Ｃ−Ｃに垂直方向で、切削インサート７の位置の安定性が良くなる。
【００１４】
上述したように、個々の切削インサートは、ねじ１０によってインサート座５に締結される。図４では、ねじ１０がどのようにして切削インサート７を挿通するのかが示されている。そして、ねじ部分がカッティングヘッド１のねじ孔１２に受け入れられる。
【００１５】
本発明によるスロットミーリングカッタは、スロットミーリングカッタの軸方向で切削インサート７の位置を調整するための手段を備えている。このため、円形断面を有する凹みが、カッティングヘッド１の個々のインサート座５に配置されている。凹み１３は、カッティングヘッド１の自由端から見たときに、切削インサート７の内側に配置されている。凹み１３の中には、スリーブ１４が入っている。スリーブ１４は、相対的にきついすべり嵌合によって凹み１３と協働する。スリーブ１４の上端の領域内において、スリーブはカラー１５を備えている。スリーブ１４は、二つの正反対に配置された軸方向のスロットを備えている。スロットは、カラー１５を通って、スリーブ１４の中に延びている。カラー１５は、特別な方法で形成されている。図１に示されるように、カラー１５は、停止部１６で形成されている。停止部１６は、カッティングヘッド１の停止面２０と協働する。それによって、スリーブ１４は、カッティングヘッド１に対して回転することが防止されている。
【００１６】
カラー１５はチャンファ部１９を有している。スリーブ１４の正しい位置において、チャンファ部１９は、第１のセレーション４を有するインサート座５の部分に面している。カラー１５のチャンファ部１９は、インサー座５に装着される切削インサート７に当接するようになっている。チャンファ部１９が切削インサート７の端面にどのように当接するのかが図４で示されている。
【００１７】
スリーブ１４は内部にねじがあり、円錐状頭部１８を備えた取付ねじ１７を受け入れるようになっている。取付ねじ１７がスリーブ１４に受け入れられたとき、円錐状頭部１８はカラー１５と協働し、スリーブ１４に螺合する。より大きな直径がカラー１５に与えられている。カラー１５の直径のこの変化は、切削インサートの軸方向変位を含んでいる。これは、特に、切削インサート７がインサート座５に取り付けられるときに生じる。ねじ１０が取り付けられ、締結されると、インサート座５と切削インサート７のそれぞれのセレーション４，１１間で十分な協働が行われる。次いて、インサート座５にある切削インサート７の必要な軸方向の調整が、取付ねじ１７の適切な締結によってもたらされる。切削インサート７の実際の変位は、スリーブ１４のカラー１５と切削インサート７との間の協働によって生じる。切削インサート７の変位に関して、ねじの所定の曲がりやプレストレスが生じる。複数の切削インサート７が互いに関して正しく調整された後、ねじ１０の最後の締結がもたらされる。
【００１８】
本発明によるスロットミーリングカッタは、少なくとも２つの切削インサートを備えているので、スロットミーリングカッタが切削インサート７の軸方向位置を調整するための手段を有するということが非常に重要である。そうでなければ、切削インサートは、十分な方法で協働するようにもたらされることはできない。
【００１９】
図５〜７において、本発明によるスロットミーリングカッタに備わる切削インサート７が詳細に示されている。図５〜７に見られるように、切削インサート７は、主面８の両側で第２のセレーション１１を備えている。また、切削インサート７は、この切削インサート７の縦方向の側面の両側に配置された二つの鋸歯状切れ刃側面９を備えている。一般に、切削インサート７は、ネガティブの基体形状を有し、ポジティブの切れ刃ジオメトリを有しており、図７において最も明瞭に示されている。切削インサート７の設計では、インサート座５において４つの異なる方法で切削インサートが取り付けられることを許容する。一方、切削インサート７の二つの主面のいずれか一つが、インサート座５のセレーション４に対して当接することができ、他方、切削インサート７の二つの切れ刃のいずれか一つが外に向けられることができる。
【００２０】
本発明によるスロットミーリングカッタの他の実施形態が図８〜１１に示されている。
主として、本実施形態は、スロットミーリングカッタが図１２に示すただ一つの鋸歯状切れ刃側面１０９を有する切削インサート１０７を備えている点において、図１〜４による実施形態と異なっている。その他に関しては、切削インサート１０７は切削インサート７と同じように、二つの主面１０８及び二つの端面１０６を備え、主面１０８は第２のセレーション１１１を備えている。また、切削インサート１０７は二つのスルーホール１１０Ａを備えている。
【００２１】
図８〜１１による実施形態のカッティングヘッド１０１と図１〜４による実施形態のカッティングヘッド１とを比較すると、カッティングヘッド１０１は中心に多くの材料を有しているということがわかる。すなわち、カッティングヘッド１０１は、より堅固な構造を有し、それにより高剛性であり、ねじが形成される孔の許容差を減少するために有効とされるかもしれない。カッティングヘッド１０１が中心においてより多くの材料を有する理由は、単に、切削インサート１０７が一つの鋸歯状切れ刃側面１０７を有するからである。
【００２２】
図８〜１１による実施形態の連結部３に関して、連結部３は図１〜４による実施形態における連結部３のように、同様に形成されることができる。したがって、これらの詳細には同じ参照符号が与えられている。個々のインサート座１０５の調整手段に関しては、インサート座１０５は、基本的には、図１〜４による実施形態にあるように、同じ設計を有することができる。したがって、調整手段に含まれる構成要素には、図１〜４による実施形態にあるように、同じ参照符号が与えられている。
【００２３】
図１５〜１７に示される本発明によるスロットミーリングカッタのさらに他の実施形態は、切削インサート１０７が取り付けられる全部で９つのインサート座２０５を備えている。これらの切削インサートは、図８〜１４による実施形態にある切削インサートと同じである。個々のインサート座２０５は、第２のセレーション２０４と、スロットミーリングカッタの軸方向で切削インサート１０７の位置を調整するための手段とを備えている。調整手段は、基本的には、図１〜４による実施形態と同様に同じ設計を有することができる。したがって、図１５で示される調整部材の構成要素には、図１〜４による実施形態と同様に同じ参照符号が与えられる。
【００２４】
図１５〜１７による実施形態において、３つのインサート座２０５／切削インサート１０７は、互いに異なる軸方向の位置で同一のグループに含まれている。軸方向で中間の切削インサート１０７は、スロットミーリングカッタ２０１の軸方向でそのグループに含まれる２つの他の切削インサートに重なる。図１５〜１７による実施形態において、インサート座１０７が、スロットミーリングカッタ２０１の軸方向で切削インサート１０７の位置調整のための調整手段を有するということは非常に重要である。一方、切削インサート１０７は、グループ内で互いに調整されるべきであり、他方、調整は複数のグループ間で行われるべきである。
【００２５】
（本発明の実施可能な変更）
上記実施形態において、カッティングヘッド１，１０１のそれぞれのインサート座５，１０５は、スロットミーリングカッタの軸方向で付属の切削インサートの位置を調整するための手段を備えている。しかしながら、本発明の範囲内で、インサート座５，１０５の一つだけが軸方向位置の調整のための手段を備えるということも実施可能である。カッティングヘッドが二つ以上のインサート座を備える場合、常に一つのインサート座が軸方向位置の調整のための手段を欠如することができる。
【００２６】
上記実施形態において、カッティングヘッド１，１０１は、二つのインサート座５，１０５を備えている。しかしながら、本発明の範囲内において、カッティングヘッドが二つ以上のインサート座を備えるということも実施可能である。
【００２７】
上記実施形態において、切削インサート７，１０７は、二つの主面においてセレーション１１，１１１を備えている。しかしながら、本発明の範囲内で、一つの主面だけがセレーションを備えるということも実施可能である。
【００２８】
上記実施形態において、切削インサート７．１０７．２０７は二つのスルーホールを備えている。しかしながら、本発明の範囲内で、切削インサートが一つ又は二つ以上のスルーホールを有することも実施可能である。
【図面の簡単な説明】
【００２９】
【図１】切削インサートが装着されていないインサート座を明瞭にするための本発明によるスロットミーリングカッタの斜視図を示す。
【図２】切削インサートを備えたスロットミーリングカッタの平面図を示す。
【図３】図２に示すスロットミーリングカッタの端面図を示す。
【図４】図３のIV−IV線に沿って切断した断面図である。
【図５】図１のスロットミーリングカッタに備えられた切削インサートの斜視図である。
【図６】図５の切削インサートの平面図である。
【図７】図６のVII −VII 線に沿って切断した断面図である。
【図８】本発明によるスロットミーリングカッタの他の実施形態の斜視図である。
【図９】図８のスロットミーリングカッタの平面図である。
【図１０】図８のスロットミーリングカッタの端面図である。
【図１１】図１０のXI−XI線に沿って切断した断面図である。
【図１２】図８のスロットミーリングカッタに備えられた切削インサートの斜視図である。
【図１３】図１２による切削インサートの平面図である。
【図１４】図１３のXIV−XIV線に沿って切断した断面図である。
【図１５】切削インサートが装着されていないミーリングカッタのインサート座を明瞭にするための本発明によるスロットミーリングカッタの他の実施形態の斜視図である。
【図１６】切削インサートが個々のインサート座に装着されている図１５のミーリングカッタの斜視図である。
【図１７】図１６のスロットミーリングカッタの側面図である。
【図１】
2007522951.tif 000003
【図２】
2007522951.tif 000004
【図３】
2007522951.tif 000005
【図４】
2007522951.tif 000006
【図５】
2007522951.tif 000007
【図６】
2007522951.tif 000008
【図７】
2007522951.tif 000009
【図８】
2007522951.tif 000010
【図９】
2007522951.tif 000011
【図１０】
2007522951.tif 000012
【図１１】
2007522951.tif 000013
【図１２】
2007522951.tif 000014
【図１３】
2007522951.tif 000015
【図１４】
2007522951.tif 000016
【図１５】
2007522951.tif 000017
【図１６】
2007522951.tif 000018
【図１７】
2007522951.tif 000019
【国際調査報告】
2007522951.tif 000020
2007522951.tif 000021
2007522951.tif 000022
2007522951.tif 000023